(57)【要約】【課題】  接続端子を保護するとともに、保護カバーの伸縮状態にかかわらず、伸縮方向と直交する方向における保護カバーのサイズが変化することを防止する。【解決手段】  本発明は、接続端子（３０Ａ）を保護する保護カバー（２０）である。接続端子（３０Ａ）は、本体部（３２）と、本体部（３２）から突出して対応機器と電気的に接続可能な接続部（３１）とを有する。保護カバー（２０）は、ばね部（２２）と、カバー部（２１）と、固定部（２３）とを有する。ばね部（２２）は、螺旋状に形成され、所定方向に沿って伸縮する。カバー部（２１）は、ばね部（２２）の一端に形成され、接続部（３１）の周囲を囲むことができる。固定部（２３）は、ばね部（２２）の他端に形成され、本体部（３２）に固定される。【選択図】  図１
2019040758.tif 000002
【特許請求の範囲】
【請求項１】
本体部と、前記本体部から突出して対応機器と電気的に接続可能な接続部とを有する接続端子を保護する保護カバーであって、
螺旋状に形成され、所定方向に沿って伸縮するばね部と、
前記ばね部の一端に形成され、前記接続部の周囲を囲むことが可能なカバー部と、
前記ばね部の他端に形成され、前記本体部に固定される固定部と、
を有することを特徴とする保護カバー。
【請求項２】
前記固定部は、前記本体部に設けられた凸部と嵌合する穴部を有することを特徴とする請求項１に記載の保護カバー。
【請求項３】
接続端子を備えた接続ケーブルと、
前記接続端子を保護する保護カバーと、を有し、
前記接続端子は、
本体部と、
前記本体部から突出して対応機器と電気的に接続可能な接続部と、を有し、
前記保護カバーは、
螺旋状に形成され、所定方向に沿って伸縮するばね部と、
前記ばね部の一端に形成され、前記接続部の周囲を囲むことが可能なカバー部と、
前記ばね部の他端に形成され、前記本体部に固定される固定部と、を有することを特徴とする保護カバー付きケーブル。
【請求項４】
前記本体部は、前記所定方向と直交する方向に突出する凸部を有し、
前記固定部は、前記凸部と嵌合する穴部を有することを特徴とする請求項３に記載の保護カバー付きケーブル。
【請求項５】
前記本体部は、前記固定部の端面と当接するフランジ部を有することを特徴とする請求項３又は４に記載の保護カバー付きケーブル。
【請求項６】
前記接続部の先端領域に金属パターンが形成されており、
前記保護カバーは、前記ばね部が伸びたときに、前記接続部の基端領域を前記カバー部の外部に露出させることを特徴とする請求項３から５のいずれか１つに記載の保護カバー付きケーブル。
【請求項７】
前記ばね部は、前記本体部の外面に密接することを特徴とする請求項３から６のいずれか１つに記載の保護カバー付きケーブル。
【発明の詳細な説明】
【技術分野】
【０００１】
本発明は、接続端子を保護する保護カバーと、この保護カバーを備えた保護カバー付きケーブルに関する。
【背景技術】
【０００２】
特許文献１には、接続プラグの金属電極を保護する絶縁カバーが記載されている。絶縁カバーは、伸縮自在の蛇腹状に形成されており、自然状態では伸びた状態となる。絶縁カバーは、基端が接続プラグに固着されており、自然状態（伸びた状態）において金属電極を覆っている。
【０００３】
接続プラグをジャック等の差込口に接続するときは、絶縁カバーの先端が差込口の外面に当接することによって絶縁カバーが縮み、金属電極が絶縁カバーから露出する。これにより、金属電極だけを差込口の中に挿入することができる。
【０００４】
特許文献２，３にも、特許文献１と同様の構造により、自然状態では接続プラグの電極部分を覆い、接続プラグを接続するときに電極部分のみを露出させて差込口に挿入することを可能とする保護カバーが開示されている。
【先行技術文献】
【特許文献】
【０００５】
【特許文献１】実開昭５５−１２８３７９号公報
【特許文献２】実開平４−８１３６８号公報
【特許文献３】特開２００６−０７５４８１号公報
【発明の概要】
【発明が解決しようとする課題】
【０００６】
しかしながら、特許文献１〜３に記載の保護カバーの構造は、蛇腹状に形成されているため、収縮状態の保護カバーのサイズは、伸長状態の保護カバーのサイズよりも大きくなってしまう。ここでいうサイズは、保護カバーの伸縮方向と直交する方向における保護カバーのサイズである。
【０００７】
そこで、本発明は、接続端子を保護するとともに、保護カバーの伸縮状態にかかわらず、伸縮方向と直交する方向における保護カバーのサイズが変化することを防止できる保護カバーと、この保護カバーを備えた保護カバー付きケーブルを提供する。
【課題を解決するための手段】
【０００８】
本願第１の発明は、接続端子を保護する保護カバーである。ここで、接続端子は、本体部と、本体部から突出して対応機器と電気的に接続可能な接続部とを有する。保護カバーは、ばね部と、カバー部と、固定部とを有する。ばね部は、螺旋状に形成されており、所定方向に沿って伸縮する。カバー部は、ばね部の一端に形成されており、接続部の周囲を囲むことができる。固定部は、ばね部の他端に形成されており、本体部に固定される。
【０００９】
固定部には、接続端子の本体部に設けられた凸部と嵌合する穴部を設けることができる。本体部の凸部を固定部の穴部に嵌合させることにより、本体部に対する固定部の位置ずれを防止することができる。
【００１０】
本願第２の発明である保護カバー付きケーブルは、接続端子を備えた接続ケーブルと、接続端子を保護する保護カバーとを有する。接続端子は、本体部と、本体部から突出して対応機器と電気的に接続可能な接続部とを有する。保護カバーは、ばね部と、カバー部と、固定部とを有する。ばね部は、螺旋状に形成されており、所定方向に沿って伸縮する。カバー部は、ばね部の一端に形成されており、接続部の周囲を囲むことができる。固定部は、ばね部の他端に形成されており、接続端子の本体部に固定される。
【００１１】
本体部には、所定方向と直交する方向に突出する凸部を設けることができる。固定部には、凸部と嵌合する穴部を設けることができる。本体部の凸部を固定部の穴部に嵌合させることにより、本体部に対する固定部の位置ずれを防止することができる。
【００１２】
本体部には、固定部の端面と当接するフランジ部を設けることができる。固定部の端面をフランジ部に当接させることにより、本体部に対する固定部の位置ずれを抑制することができる。
【００１３】
接続部の先端領域には、金属パターンが形成されている。ここで、保護カバーは、ばね部が伸びたときに、接続部の基端領域をカバー部の外部に露出させることができる。これにより、カバー部によって金属パターンの周囲を囲んで保護することができるとともに、カバー部の外部に露出した接続部の基端領域を指標として、接続部を対応機器に接続しやすくなる。
【００１４】
ばね部は、本体部の外面に密接させることができる。これにより、ばね部及び本体部の接触面における摩擦抵抗を利用して、ばね部を任意の伸縮状態に保持することができる。
【発明の効果】
【００１５】
本願第１及び第２の発明によれば、カバー部が接続部を囲むことにより、接続部を保護することができる。また、ばね部が螺旋状に形成されているため、保護カバーの伸縮状態を変化させても、ばね部の螺旋のピッチが変化するだけであり、所定方向と直交する方向における保護カバーのサイズが変化することを防止できる。
【図面の簡単な説明】
【００１６】
【図１】本実施形態の保護カバーを接続端子に取り付ける前の状態を示す分解図である。
【図２】図１における側面図である。
【図３】図１及び図２におけるＡ−Ａ断面図である。
【図４】本実施形態の保護カバー付きケーブル初期状態を示す正面図である。
【図５】図４における側面図である。
【図６】本実施形態の保護カバー付きケーブルの使用状態を示す正面図である。
【図７】本実施形態の保護カバー付きケーブルの使用状態を示す参考図である。
【発明を実施するための形態】
【００１７】
（第１実施形態）
図１は、本実施形態の保護カバー付きケーブル１において、保護カバー２０を接続ケーブル３０に取り付ける前の状態を示す分解図である。保護カバー付きケーブル１は、中空構造（言い換えれば、貫通構造）を有する保護カバー２０と、接続ケーブル３０とを有する。接続ケーブル３０の接続端子３０Ａ（後述）を保護カバー２０の中空部に挿し込んだ状態で固定することで、保護カバー２０が接続ケーブル３０に取り付けられる。
【００１８】
接続ケーブル３０は、接続端子３０Ａ及びケーブル部３０Ｂを有する。接続端子３０Ａは、接続部３１、本体部３２、フランジ部３３及び一対の凸部３４を備える。ケーブル部３０Ｂの一端は、フランジ部３３に接続されている。フランジ部３３には、ケーブル部３０Ｂとは反対側に本体部３２が設けられている。本体部３２の先端には、本体部３２から突出する接続部３１が設けられている。接続部３１は、対応機器の充電やデータの入出力の際に対応機器のジャック等の差込口に挿入される部分である。さらに、接続部３１の先端領域には、対応機器の差込口内の回路と接触することで接続ケーブル３０と対応機器を電気的に接続するための金属パターン３１ａが設けられている。
【００１９】
本体部３２の内部には、充電やデータの入出力のための回路基板が配置されている。フランジ部３３は、本体部３２の外面から突出して形成される。フランジ部３３は、後述する保護カバー２０の固定部２３と当接する。
【００２０】
本体部３２には、ケーブル部３０Ｂの軸方向に対して略直交する方向に突出した一対の凸部３４が形成されており、フランジ部３３に対して所定距離を空けて配置されている。また、凸部３４のうち、フランジ部３３の側の端部とは反対側の端部には、テーパ面３４ａが形成されている。凸部３４は、後述する保護カバー２０の穴部２４ｃと嵌合することができる。
【００２１】
なお、ケーブル部３０Ｂの他端（不図示）には、例えばＵＳＢ端子、ＨＤＭＩ（登録商標）端子、ＶＧＡ端子等、公知の変換端子が接続（固定）されている。また、ケーブル部３０Ｂの他端は、端子ではなく、端末や装置に接続（固定）されていてもよい。
【００２２】
保護カバー２０は、カバー部２１と、ばね部２２と、固定部２３とを有し、弾性を有する素材で一体的に形成されている。カバー部２１は、保護カバー２０が接続端子３０Ａに取り付けられたとき、接続部３１の周囲を囲むことができるように形成された部分である。固定部２３は、保護カバー２０を接続端子３０Ａに取り付けるときに、本体部３２に固定される部分である。固定部２３を本体部３２に固定したとき、固定部２３の端面２３ａはフランジ部３３と当接する。ばね部２２は、所定のクリアランスを設けて螺旋状に形成されている。また、ばね部２２の両端には、カバー部２１と固定部２３がそれぞれ接続されており、ばね部２２の伸縮により、カバー部２１と固定部２３とを相対的に移動させることができる。
【００２３】
固定部２３には、保護カバー２０を接続端子３０Ａに取り付けたときの凸部３４に対応する位置に、一対の貫通穴２４が形成されている。なお、後述するように、貫通穴２４の一部には、凸部３４と嵌合する穴部２４ｃが形成されている。凸部３４が穴部２４ｃに嵌合すると、保護カバー２０は、接続端子３０Ａに対して位置決めされる。すなわち、凸部３４と穴部２４ｃの嵌合により、保護カバー２０の装着状態が維持される。
【００２４】
保護カバー２０を接続端子３０Ａに取り付ける際には、保護カバー２０の中空部に、固定部２３側から接続端子３０Ａを挿し込み、穴部２４ｃに凸部３４を嵌合させればよい。このとき、固定部２３の端面２３ａは、凸部３４に当接するが、上述したように、凸部３４がテーパ面３４ａを有するため、端面２３ａはテーパ面３４ａに沿って変形する。したがって、凸部３４と穴部２４ｃとが嵌合するまで、接続端子３０Ａを保護カバー２０に挿し込むことができる。
【００２５】
また、凸部３４は、フランジ部３３に対向する側の面にテーパ面を有しない。このため、凸部３４と穴部２４ｃが嵌合すると、保護カバー２０と接続端子３０Ａを互いに離れる方向に移動させようとしても、凸部３４及び穴部２４ｃの嵌合状態が解除されにくい。
【００２６】
保護カバー２０の中空構造は、接続部３１及び本体部３２を挿通させつつ、フランジ部３３を挿通させないスペースを有する。これにより、固定部２３とフランジ部３３が当接するまで、接続端子３０Ａを保護カバー２０に挿し込むことができる。
【００２７】
なお、保護カバー２０の内面は、本体部３２の外面に沿って形成されている。これにより、ばね部２２が伸縮したり、カバー部２１がスライドしたりするとき、本体部３２の外面に沿ってばね部２２及びカバー部２１をガイドすることができる。本実施形態では、保護カバー２０の内面が、本体部３２の外面から離れており、ばね部２２をスムーズに伸縮させたり、カバー部２１をスムーズにスライドさせたりすることができる。
【００２８】
また、上述したように、凸部３４は、フランジ部３３に対して所定距離を空けて配置されている。この所定距離は、凸部３４と穴部２４ｃが嵌合したときに、固定部２３の端面２３ａがフランジ部３３に当接するように適宜設定される。
【００２９】
図２は、図１における側面図である。各部の詳細な説明については、上記図１の説明に代える。
【００３０】
ここで、図３を参照して貫通穴２４の形状について説明する。図３は、図１及び図２におけるＡ−Ａ断面図であり、特に、貫通穴２４を含む固定部２３の断面を示している。貫通穴２４は、固定部２３における曲率を有する壁部に形成されており、固定部２３の端面２３ａに沿って延びている。貫通穴２４の両端には、第１開口２４ａ及び第２開口２４ｂが形成されている。貫通穴２４の一部は、固定部２３の内面に露出しており、この部分が穴部２４ｃとなる。なお、上述したように、穴部２４ｃには、接続端子３０Ａの凸部３４が嵌合する。
【００３１】
第１開口２４ａ及び第２開口２４ｂは、固定部２３の外面に形成された一対の開口である。穴部２４ｃは、第１開口２４ａと第２開口２４ｂの間の略中間位置に形成されている。第１開口２４ａ、第２開口２４ｂ及び穴部２４ｃは、互いに繋がっている。
【００３２】
保護カバー２０を接続端子３０Ａに取り付けると、保護カバー付きケーブル１が構成される。図４は、保護カバー付きケーブル１の初期状態を示す正面図である。ここで、初期状態とは、カバー部２１が接続部３１の周囲を囲んだ状態である。本実施形態では、ばね部２２が伸長状態（自然状態）であるときに、保護カバー付きケーブル１が初期状態となる。
【００３３】
上述したように、カバー部２１は、初期状態にあるとき、ばね部２２の伸縮方向と直交する平面内において接続部３１を囲む。特に、カバー部２１は、金属パターン３１ａを囲む。
【００３４】
また、カバー部２１は、ばね部２２の伸縮により、本体部３２の外面に沿ってスライドすることができる。例えば、本体部３２の外面に沿って、カバー部２１が固定部２３に向かって押されると、ばね部２２が収縮する。また、カバー部２１を固定部２３に向かって押すことを解除すると、ばね部２２が復元力によって伸長する。
【００３５】
ばね部２２は、本体部３２の長手方向に沿って弾性的に伸縮することができる。例えば、ばね部２２は、カバー部２１と固定部２３が互いに近づく方向に押されるのに応じて収縮する。この収縮状態において、ばね部２２は、カバー部２１と固定部２３を互いに離れる方向に付勢する。収縮状態が解除されると、ばね部２２は伸びて元の長さに復元する。
【００３６】
ばね部２２に設けたクリアランス（螺旋のピッチ）により、本体部３２は、ケーブル付き保護カバー２０の外部に露出する。また、カバー部２１とばね部２２の間に形成されるクリアランスにより、接続部３１の基端領域が保護カバー付きケーブル１の外部に露出する。具体的には、接続部３１のうち、金属パターン３１ａが形成されていない領域（基端領域）が、保護カバー付きケーブル１の外部に露出する。
【００３７】
図５は、図４の初期状態の保護カバー付きケーブル１の側面図である。各部の詳細な説明については、上記図４の説明に代える。
【００３８】
保護カバー付きケーブル１と対応機器は、接続部３１を対応機器（不図示）の差込口に挿入することによって接続される。より具体的には、接続部３１の挿入により金属パターン３１ａが差込口内の回路と接触することにより、保護カバー付きケーブル１と対応機器が電気的に接続される。
【００３９】
接続部３１を対応機器の差込口に挿入する際、カバー部２１は、対応機器の本体に当接する。この状態で接続部３１を対応機器の差込口に近づけると、カバー部２１と固定部２３が互いに近づく方向に移動して、ばね部２２が収縮する。このとき、接続部３１は、カバー部２１を貫通してカバー部２１から突出し、対応機器の差込口に挿入される。これにより、保護カバー付きケーブル１は、使用状態となる。
【００４０】
図６は、保護カバー付きケーブル１の使用状態を示す正面図である。ここで、使用状態とは、対応機器の差込口に接続部３１を挿入し、ばね部２２が収縮された状態であるが、図６では、対応機器を省略している。なお、図６では、ばね部２２が完全に収縮されているが、保護カバー付きケーブル１の使用状態において、ばね部２２が完全に収縮されている必要はない。
【００４１】
保護カバー付きケーブル１の使用状態において、ばね部２２は、復元力により対応機器の本体とフランジ部３３を互いに離れる方向に付勢（押圧）しているが、接続部３１が対応機器の差込口から抜き出されない程度の付勢力に調整されている。これにより、対応機器の本体とフランジ部３３の間で保護カバー２０を挟持し、ばね部２２の収縮状態を維持することができる。このとき、フランジ部３３は、固定部２３を介してばね部２２の付勢力を受けている。同様に、対応機器の本体は、カバー部２１を介してばね部２２の付勢力を受けている。
【００４２】
また、ばね部２２が収縮されると、ばね部２２に設けたクリアランスが初期状態に比べて狭くなる。言い換えると、保護カバー付きケーブル１の使用状態では、クリアランスによって本体部３２が露出される面積は初期状態に比べて小さくなる。また、ばね部２２が完全に収縮されると、図６に示すように、クリアランスが閉じた状態となる。
【００４３】
なお、保護カバー２０の内面は、本体部３２の外面に密接させてもよい。特に、保護カバー付きケーブル１の使用状態において、ばね部２２の内面を本体部３２の外面に密接させることで、ばね部２２の内面及び本体部３２の外面の間に摩擦力を発生させて、ばね部２２が復元しにくくなり、収縮した状態を維持しやすくなる。
【００４４】
図６に示すように、保護カバー付きケーブル１が使用状態にあるとき、本体部３２の一部が露出するが、この露出部３２ａについて説明する。露出部３２ａは、本体部３２の一部であり、ばね部２２が完全に収縮されているときに、保護カバー２０（カバー部２１）から露出した部分である。
【００４５】
ここで、露出部３２ａの長さｄ１について、図７を参照して説明する。図７は、ケースに収容された対応機器（スマートフォン）に保護カバー付きケーブル１を接続した使用状態を示す図である。なお、図７ではケースに収容されたスマートフォンを一例として示しているが、対応機器はスマートフォンに限られない。
【００４６】
図７に示すように、対応機器がケースに収容されている場合、対応機器の差込口の周囲がケースで覆われているため、カバー部２１は対応機器のケースに当接する。このため、カバー部２１を対応機器の本体に当接させて保護カバー２０（ばね部２２）を収縮する場合に比べ、さらにケースの厚さＤの分だけ保護カバー２０（ばね部２２）を収縮できないと、接続部３１を対応機器の差込口に完全に挿入することができない。したがって、ばね部２２が完全に収縮されたとしても、接続部３１が対応機器の差込口に完全に挿入できるように、露出部３２ａの長さｄ１を調整することが好ましい。
【００４７】
具体的には、露出部３２ａの長さｄ１が対応機器のケースの厚さＤ以上の長さとなるように、本体部３２の長さや保護カバー２０の長さを適宜設定すればよい。これにより、図７に示すように、対応機器の差込口に接続部３１を挿入することができ、対応機器のケースとフランジ部３３との間で保護カバー２０の収縮状態を維持することができる。
【００４８】
図６及び図７において、接続部３１を対応機器の差込口から抜き出すと、ばね部２２の収縮状態が解除され、ばね部２２が伸張する。カバー部２１は、ばね部２２の復元力により固定部２３から離れる方向にスライドし、図４に示す初期状態に戻る。これにより、再び、接続部３１をカバー部２１で囲むことができる。
【００４９】
上述したように、本実施形態では、ばね部２２の伸縮により、保護カバー２０のカバー部２１をスライドさせている。ばね部２２は螺旋状に形成されているため、ばね部２２が伸縮しても、ばね部２２の伸縮方向と直交する方向における保護カバー２０のサイズは変わらない。言い換えれば、ばね部２２が収縮しても、上述した保護カバー２０のサイズは増加することがない。
【００５０】
また、保護カバー付きケーブル１が初期状態にあるとき、接続部３１は、カバー部２１で保護されているため、ユーザが接続部３１の金属パターン３１ａに触れる機会を減らすことができる。これにより、特に、金属パターン３１ａが手の接触によって腐食することを抑えることができる。また、接続部３１を対応機器の差込口に差し込んだり、接続部３１を対応機器の差込口から外したりするとき、保護カバー２０を手作業で取り外したり取り付けたりする必要がないので、取り扱いが容易である。
【００５１】
（第２実施形態）
第１実施形態では、ばね部２２が収縮状態にあるときに、伸張状態に向かう復元力を発生させるばね部２２を用いているが、これとは逆方向の復元力を発生させるばね部２２を用いてもよい。すなわち、ばね部２２が伸張状態にあるとき、収縮状態に向かう復元力を発生させるばね部２２を用いてもよい。この場合、ユーザがカバー部２１をばね部２２の復元力に逆らってスライドさせることにより、ばね部２２が伸長し、カバー部２１が接続部３１を囲んだ状態（初期状態）となる（例えば図４）。
【００５２】
保護カバー２０が初期状態を維持するためには、ばね部２２の内面と本体部３２の外面の間に、ばね部２２の復元力に抗する摩擦抵抗を発生させればよい。例えば、ばね部２２の内面と本体部３２の外面を十分な接触面積で密接させることで、摩擦抵抗を確保することができる。また、必要に応じて、ばね部２２の内面と本体部３２の外面の一方又は両方に滑り止め加工を施してもよい。
【００５３】
この他、本体部３２の外面に、伸張状態のばね部２２と嵌合させるための溝を設け、この溝に伸長状態のばね部２２を嵌合させることにより、初期状態を維持してもよい。また、本体部３２の外面に、伸長状態のばね部２２を引っ掛けるための突起を設け、この突起に伸長状態のばね部２２を引っ掛けることによって初期状態を維持してもよい。すなわち、ばね部２２が伸張状態を維持する構成であればよい。
【００５４】
保護カバー付きケーブル１を初期状態から使用状態にするには、第１実施形態と同様に、カバー部２１を対応機器の本体に当接させた状態で接続部３１を対応機器の差込口に近づければよい。このとき、カバー部２１が固定部２３に向かって押されると、ばね部２２が復元する方向（収縮方向）に沿ってカバー部２１がスライドする。これにより、ばね部２２が復元する方向に作用する力が上述の摩擦抵抗を超えると、ばね部２２は収縮状態に復元し、接続部３１がカバー部２１から露出される。接続部３１が対応機器の差込口に挿入されると、図６及び図７と同様の使用状態となる。
【００５５】
また、本実施形態においても、上述の図６及び図７で説明したように、露出部３２ａの長さｄ１を調整することにより、対応機器がケースに収容されている場合でも、接続部３１を対応機器の差込口に挿入することができる。すなわち、第１実施形態と同様に、露出部３２ａの長さｄ１を対応機器のケースの厚さＤ以上の長さとなるように設定すればよい。
【００５６】
なお、第１実施形態及び第２実施形態において、保護カバー２０は、例えば、射出成形により一体成形されたものである。このように成形することで、ばね部２２の代わりに、単品のばねをカバー部２１と固定部２３に接続する場合に比べて、保護カバー２０を容易に製造できるメリットがある。保護カバー２０は、例えばナイロン、ポリアセタール（ＰＯＭ）等の樹脂で形成することができる。
【００５７】
また、カバー部２１とばね部２２の間には、接続部３１の基端領域を露出させるクリアランスが形成されている。このクリアランスから接続部３１を視認することができ、保護カバー２０が不透明であっても、視認される接続部３１を指標として、接続部３１を対応機器の差込口に挿入する際の位置合わせを行うことができる。
【００５８】
また、保護カバー２０を透明に形成すれば、接続部３１がカバー部２１で囲まれている場合であっても、ユーザは、保護カバー２０の外部から接続部３１を視認することができる。これにより、接続部３１を対応機器の差込口に挿入する際の位置合わせがしやすくなる。
【００５９】
なお、本体部３２において、一対の凸部３４が形成されているが、凸部３４の数、位置、大きさ、形状は適宜設定することができる。同様に、保護カバー２０の貫通穴２４、特に穴部２４ｃの数、位置、大きさ、形状は、凸部３４に対応するように適宜設定することができる。
【００６０】
さらに、フランジ部３３を省略することもできる。この場合、保護カバー２０が収縮されているときに、ばね部２２の付勢力で凸部３４と穴部２４ｃの嵌合状態が解除されなければよい。
【００６１】
なお、ばね部２２の巻き数、ばねの太さ、クリアランスは、適宜設定することができるが、使用後にばね部２２が復元し、カバー部２１が接続部３１を保護することができればよい。
【符号の説明】
【００６２】
１：保護カバー付きケーブル、２０：保護カバー、２１：カバー部、
２２：ばね部、２３：固定部、２４：貫通穴、２４ａ：第１開口、２４ｂ：第２開口、
２４ｃ：穴部、３０：接続ケーブル、３０Ａ：接続端子、３０Ｂ：ケーブル部、
３１：接続部、３１ａ：金属パターン、３２：本体部、３３：フランジ部、
３４：凸部
【図１】
2019040758.tif 000003
【図２】
2019040758.tif 000004
【図３】
2019040758.tif 000005
【図４】
2019040758.tif 000006
【図５】
2019040758.tif 000007
【図６】
2019040758.tif 000008
【図７】
2019040758.tif 000009
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
本体部と、前記本体部から突出して対応機器と電気的に接続可能な金属パターンを含む接続部とを有する接続端子を保護する保護カバーであって、
螺旋状に形成され、所定方向に沿って伸縮するばね部と、
前記ばね部の一端に形成され、前記接続部の周囲を囲むことが可能なカバー部と、
前記ばね部の他端に形成され、前記本体部に固定される固定部と、
を有することを特徴とする保護カバー。
【請求項２】
前記固定部は、前記本体部に設けられた凸部と嵌合する穴部を有することを特徴とする請求項１に記載の保護カバー。
【請求項３】
接続端子を備えた接続ケーブルと、
前記接続端子を保護する保護カバーと、を有し、
前記接続端子は、
本体部と、
前記本体部から突出して対応機器と電気的に接続可能な金属パターンを含む接続部と、を有し、
前記保護カバーは、
螺旋状に形成され、所定方向に沿って伸縮するばね部と、
前記ばね部の一端に形成され、前記接続部の周囲を囲むことが可能なカバー部と、
前記ばね部の他端に形成され、前記本体部に固定される固定部と、を有することを特徴とする保護カバー付きケーブル。
【請求項４】
前記本体部は、前記所定方向と直交する方向に突出する凸部を有し、
前記固定部は、前記凸部と嵌合する穴部を有することを特徴とする請求項３に記載の保護カバー付きケーブル。
【請求項５】
前記本体部は、前記固定部の端面と当接するフランジ部を有することを特徴とする請求項３又は４に記載の保護カバー付きケーブル。
【請求項６】
前記金属パターンが前記接続部の先端領域に形成されており、
前記保護カバーは、前記ばね部が伸びたときに、前記接続部の基端領域を前記カバー部の外部に露出させることを特徴とする請求項３から５のいずれか１つに記載の保護カバー付きケーブル。
【請求項７】
前記ばね部は、前記本体部の外面に密接することを特徴とする請求項３から６のいずれか１つに記載の保護カバー付きケーブル。
【手続補正２】
【補正対象書類名】明細書
【補正対象項目名】０００８
【補正方法】変更
【補正の内容】
【０００８】
本願第１の発明は、接続端子を保護する保護カバーである。ここで、接続端子は、本体部と、本体部から突出して対応機器と電気的に接続可能な金属パターンを含む接続部とを有する。保護カバーは、ばね部と、カバー部と、固定部とを有する。ばね部は、螺旋状に形成されており、所定方向に沿って伸縮する。カバー部は、ばね部の一端に形成されており、接続部の周囲を囲むことができる。固定部は、ばね部の他端に形成されており、本体部に固定される。
【手続補正３】
【補正対象書類名】明細書
【補正対象項目名】００１０
【補正方法】変更
【補正の内容】
【００１０】
本願第２の発明である保護カバー付きケーブルは、接続端子を備えた接続ケーブルと、接続端子を保護する保護カバーとを有する。接続端子は、本体部と、本体部から突出して対応機器と電気的に接続可能な金属パターンを含む接続部とを有する。保護カバーは、ばね部と、カバー部と、固定部とを有する。ばね部は、螺旋状に形成されており、所定方向に沿って伸縮する。カバー部は、ばね部の一端に形成されており、接続部の周囲を囲むことができる。固定部は、ばね部の他端に形成されており、接続端子の本体部に固定される。
【手続補正４】
【補正対象書類名】明細書
【補正対象項目名】００１３
【補正方法】変更
【補正の内容】
【００１３】
金属パターンは、接続部の先端領域に形成されている。ここで、保護カバーは、ばね部が伸びたときに、接続部の基端領域をカバー部の外部に露出させることができる。これにより、カバー部によって金属パターンの周囲を囲んで保護することができるとともに、カバー部の外部に露出した接続部の基端領域を指標として、接続部を対応機器に接続しやすくなる。